(57)【特許請求の範囲】
【請求項１】
テレビ番組の受信予約が可能な情報処理装置であって、
マザーボードと、テレビ番組処理部と、前記マザーボードからのデータに応じた出力を行う出力手段と、スイッチ手段と、ユーザ操作を受け付ける入力手段と、を含み、
前記マザーボードは、
処理手段と、
前記テレビ番組を受信開始する予約時刻を記憶する第１記憶手段と、
時刻を計時する第１時計手段と、
前記入力手段が前記ユーザ操作を受け付けたとき、または、前記第１時計手段の時刻が前記第１記憶手段内の受信予約時刻になったとき、起動信号を出力する起動手段と、を含み、
前記スイッチ手段は、前記処理手段への電源供給を制御し、
前記テレビ番組処理部は、
前記テレビ番組を受信開始する予約時刻を記憶する第２記憶手段と、
時刻を計時する第２時計手段と、
前記出力手段への前記データの入力を遮断可能な遮断手段と、
前記スイッチ手段が前記処理手段への電源供給を停止している状況で前記起動信号を受信した際、前記第２時計手段と前記第２記憶手段を参照し、前記第２時計手段による前記起動信号の受信時刻が前記第２記憶手段に記憶された予約時刻と異なる場合に、前記遮断手段による遮断をオフにすると共に、前記スイッチ手段を制御して前記処理手段に電源を供給する制御手段と、を含む情報処理装置。
【請求項２】
請求項１に記載の情報処理装置において、
前記第２記憶手段は、さらに、前記予約時刻に関連づけて、前記遮断手段による遮断のオンオフを示す遮断管理情報を記憶し、
前記制御手段は、さらに、前記スイッチ手段が前記処理手段への電源供給を停止している状況で前記起動信号を受信した際、前記起動信号の受信時刻が前記予約時刻と一致する場合に、前記スイッチ手段を制御して前記処理手段に電源を供給すると共に、当該予約時刻に関連する遮断管理情報に基づいて前記遮断手段のオンオフを制御する、情報処理装置。
【請求項３】
請求項２に記載の情報処理装置において、
前記処理手段は、前記データとして、映像データと音声データを出力し、
前記遮断手段は、前記出力手段への前記映像データの入力を遮断可能な映像遮断手段と、前記出力手段への前記音声データの入力を遮断可能な音声遮断手段と、を含み、
前記第２記憶手段は、前記遮断管理情報として、映像データ用遮断管理情報と、音声データ用遮断管理情報と、を記憶し、
前記制御手段は、前記スイッチ手段が前記処理手段への電源供給を停止している状況で前記起動信号を受信した際、前記起動信号の受信時刻が前記予約時刻と一致する場合に、当該予約時刻に関連する映像データ用遮断管理情報に基づいて前記映像遮断手段による遮断のオンオフを制御すると共に、当該予約時刻に関連する音声データ用遮断管理情報に基づいて前記音声遮断手段による遮断のオンオフを制御する、情報処理装置。
【請求項４】
テレビ番組の受信予約が可能な情報処理装置であって、
マザーボードと、テレビ番組処理部と、前記マザーボードからのデータに応じた出力を行う出力手段と、スイッチ手段と、ユーザ操作を受け付ける入力手段と、を含み、
前記テレビ番組処理部は、
前記テレビ番組を受信開始する予約時刻を記憶する記憶手段と、
時刻を計時する時計手段と、
前記出力手段への前記データの入力を遮断可能な遮断手段と、
制御手段と、を含み、
前記マザーボードは、
処理手段と、
前記制御手段の制御により前記処理手段を起動させる起動信号を出力する起動手段と、を含み、
前記スイッチ手段は、前記処理手段への電源供給を制御し、
前記起動手段は、前記入力手段が前記ユーザ操作を受け付けたとき、または、前記時計手段の時刻が前記記憶手段内の受信予約時刻になったとき、起動信号を出力し、
前記制御手段は、前記スイッチ手段が前記処理手段への電源供給を停止している状況で前記起動信号を受信した際、前記時計手段と前記記憶手段を参照し、前記時計手段による前記起動信号の受信時刻が前記記憶手段に記憶された予約時刻と異なる場合に、前記遮断手段による遮断をオフにすると共に、前記スイッチ手段を制御して前記処理手段に電源を供給する、情報処理装置。
【請求項５】
テレビ番組の受信予約が可能な情報処理装置における出力制御方法であって、
前記情報処理装置は、
マザーボードと、テレビ番組処理部と、前記マザーボードからのデータに応じた出力を行う出力手段と、スイッチ手段と、ユーザ操作を受け付ける入力手段と、を含み、
前記マザーボードは、
処理手段と、
前記テレビ番組を受信開始する予約時刻を記憶する第１記憶手段と、
時刻を計時する第１時計手段と、を含み、
前記スイッチ手段は、前記処理手段への電源供給を制御するよう設けられ、
前記テレビ番組処理部は、
前記テレビ番組を受信開始する予約時刻を記憶する第２記憶手段と、
時刻を計時する第２時計手段と、
前記出力手段への前記データの入力を遮断可能な遮断手段と、を含み、
前記入力手段が前記ユーザ操作を受け付けたとき、または、前記第１時計手段の時刻が前記第１記憶手段内の受信予約時刻になったとき、起動信号を出力する起動信号出力ステップと、
前記スイッチ手段が前記処理手段への電源供給を停止している状況で前記起動信号を受信した際、前記第２時計手段と前記第２記憶手段を参照し、前記第２時計手段による前記起動信号の受信時刻が前記第２記憶手段に記憶された予約時刻と異なる場合に、前記遮断手段による遮断をオフにすると共に、前記スイッチ手段を制御して前記処理手段に電源を供給する制御ステップと、を含む出力制御方法。
【発明の詳細な説明】
【技術分野】
【０００１】
本発明は、情報処理装置および出力制御方法に関し、特には、テレビ番組の予約受信が可能な情報処理装置および出力制御方法に関する。
【背景技術】
【０００２】
テレビ番組を受信可能な情報処理装置が知られている。
【０００３】
特許文献１には、テレビ番組を受信可能な携帯電話機が記載されている。また、特許文献２には、モバイル放送受信機が記載されている。
【０００４】
また、テレビ番組を受信可能なＰＣ（パーソナルコンピュータ）も知られている。
【０００５】
図８は、テレビ番組を予約録画可能なＰＣ（いわゆる、テレビパソコン）を示したブロック図である。
【０００６】
図８において、ＰＣ１００Ａは、いわゆるナイトモード（Night Mode）を有する。
【０００７】
ＰＣ１００Ａは、ナイトモードでは、「映像と音声」または「映像または音声」をミュートしたまま動作する。
【０００８】
ナイトモードは、テレビパソコンにおいて、深夜の予約録画実行中に映像や音声が出力されるのを防止するために設けられている。例えば、ナイトモードは、深夜の予約録画ではオン（ミュートオン）にセットされ、朝の目覚まし用予約視聴ではオフ（ミュートオフ）にセットされ、通常使用時ではオフ（ミュートオフ）にセットされる必要がある。このため、ナイトモードのオン／オフの自動制御が必要となる。
【０００９】
ＰＣ１００Ａは、ＰＣ部１０１Ａと、テレビ番組処理部１０２Ａと、ＬＣＤモニタ１０３Ａと、スピーカー１０４Ａと、ボタン、リモコン１０５Ａと、を含む。
【００１０】
ＰＣ部１０１Ａは、一般的なＰＣとして機能する。テレビ番組処理部１０２Ａは、放送中のテレビ番組を受け付け、そのテレビ番組を出力したり、録画データをＰＣ部１０１Ａに渡したりする。
【００１１】
ＰＣ部１０１Ａは、起動要因部１Ａと、起動要因部２Ａと、起動要因部３Ａと、起動信号出力部４Ａと、処理部５Ａと、ＰＳＵ（Power Supply Unit：電源供給部）６Ａと、キーボード７Ａと、マウス８Ａと、を含む。ＰＳＵ６Ａは、電源スイッチ６Ａａを含む。
【００１２】
テレビ番組処理部１０２Ａは、映像ミュート（Mute）部９Ａと、音声ミュート（Mute）部１０Ａと、ＣＰＵ１１Ａと、記憶装置１２Ａと、映像合成部１４Ａと、音声合成部１５Ａを含む。
【００１３】
起動要因部１Ａは、タイマーであり、現在時刻がテレビ番組の受信予約時刻（予約録画時刻（電子番組表（ＥＰＧ）受信時刻などを含む。以下同様）または予約視聴時刻）になると、起動信号出力部４Ａに起動信号を提供する。
【００１４】
例えば、起動要因部１Ａは、時計部１Ａａと、記憶部１Ａｂと、比較部１Ａｃと、を含む。
【００１５】
時計部１Ａａは、現在時刻を計時する。記憶部１Ａｂは、受信予約時刻（予約録画時刻および予約視聴時刻）を記憶する。比較部１Ａｃは、時計部１Ａａの時刻が、記憶部１Ａｂ内の受信予約時刻になると、起動信号出力部４Ａに起動信号を提供する。
【００１６】
起動要因部２Ａは、ウェイクオンＵＳＢ（Wake on USB）であり、キーボード７Ａがユーザにて操作された際、および、マウス８Ａがユーザにて操作された際に、起動信号出力部４Ａに起動信号を提供する。
【００１７】
起動要因部３Ａは、ウェイクオンＬＡＮ（Wake on LAN）であり、ＬＡＮ経由で起動指令を受け付けた際に、起動信号出力部４Ａに起動信号を提供する。
【００１８】
起動信号出力部４Ａは、起動要因部１Ａから起動信号を受け付けた場合、起動要因部２Ａから起動信号を受け付けた場合、起動要因部３Ａから起動信号を受け付けた場合、および、ＣＰＵ１１Ａから起動信号を受け付けた場合に、起動信号をＣＰＵ１１Ａに提供する。
【００１９】
処理部５Ａは、少なくとも、メモリ５ＡａとＣＰＵ５Ａｂを含み、電源が供給されている状況でデータを出力する。このデータは、例えば、テレビ番組と異なるデータである。
【００２０】
メモリ５Ａａは、ＯＳとアプリケーションプログラムを記憶する。
【００２１】
ＣＰＵ５Ａｂは、電源が供給されると、メモリ５Ａａ内のＯＳおよびアプリケーションプログラム（例えば、ＴＶアプリケーション）を読み取って実行する。
【００２２】
処理部５Ａは、ＣＰＵ５Ａｂの処理結果を表す映像データおよび音声データを出力する。なお、処理部５Ａは、映像データおよび音声データと異なるデータを出力してもよい。
【００２３】
処理部５Ａは、キーボード７Ａが受け付けたユーザ操作、および、マウス８Ａが受け付けたユーザ操作を受け付け、そのユーザ操作に応じた処理を行う。なお、処理部５Ａ（具体的には、ＣＰＵ５Ａｂ）は、ユーザ操作を所定時間受け付けないと、起動信号出力部４ＡからＣＰＵ１１Ａへ電源ＯＦＦ要求を伝送する。ＣＰＵ１１Ａは、起動信号出力部４Ａから電源ＯＦＦ要求を受け付けると、ＰＳＵ６Ａの電源スイッチ６Ａａをオフにする。
【００２４】
起動要因部１Ａ〜３Ａと、起動信号出力部４Ａと、処理部５Ａとは、マザーボード１０１Ａａに搭載されている。
【００２５】
ＰＳＵ６Ａは、商用電源（ＡＣ電源）からＰＣ用電圧を生成し、そのＰＣ用電圧を、電源として、マザーボード１０１Ａａとテレビ番組処理部１０２ＡとＬＣＤモニタ１０３Ａとスピーカー１０４Ａに供給する。
【００２６】
ＰＳＵ６Ａは、電源ボタン１３Ａの操作によってＰＣ１００Ａが電源オンになっている状況では、マザーボード１０１Ａａと、テレビ番組処理部１０２Ａと、ＬＣＤモニタ１０３Ａと、スピーカー１０４Ａに、通電する。
【００２７】
電源スイッチ６Ａａは、処理部５ＡへのＰＣ用電圧の供給を制御する。
【００２８】
例えば、電源スイッチ６Ａａは、電源オンの状況になると、ＰＣ用電圧を電源として処理部５Ａに供給する。
【００２９】
ＰＣ１００Ａがスタンバイ状態に移行するのは、起動信号出力部４Ａが電源ＯＦＦ要求をＣＰＵ１１Ａに伝送し、ＣＰＵ１１ＡがＰＳＵ６Ａの電源スイッチ６Ａａを切ることにより実施する。この要因は、例えばユーザによるキーボード７Ａ、マウス８Ａの操作あるいは一定期間の不操作、電源ボタン１３Ａの操作、ＣＰＵ５Ａｂからの指示がある。
【００３０】
映像ミュート部９Ａは、映像データがＬＣＤモニタ１０３Ａに提供されることを遮断可能である。例えば、映像ミュート部９Ａは、ＬＣＤモニタ１０３Ａに提供される映像データをミュート可能である。
【００３１】
音声ミュート部１０Ａは、音声データがスピーカー１０４Ａに提供されることを遮断可能である。例えば、音声ミュート部１０Ａは、スピーカー１０４Ａに提供される音声データをミュート可能である。
【００３２】
ＣＰＵ１１Ａは、テレビ番組処理部１０２Ａを制御する。
【００３３】
例えば、ＣＰＵ１１Ａは、放送中のテレビ番組の放送データを受け付け、その放送データに含まれる映像データを映像合成部１４Ａに提供し、また、その放送データに含まれる音声データを音声合成部１５Ａに提供する。
【００３４】
ＣＰＵ１１Ａは、電源オンの状況で、起動信号出力部４Ａから電源ＯＦＦ要求を受け付けた場合、電源スイッチ６ＡａをオフにしてＰＣ１００Ａをスタンバイ状態にする。
【００３５】
ＣＰＵ１１Ａは、スタンバイ状態時に起動信号出力部４Ａから起動信号を受け付けると、電源スイッチ６Ａａと、映像ミュート部９Ａと、音声ミュート部１０Ａと、を制御する。
【００３６】
また、ＣＰＵ１１Ａは、処理部５Ａから、映像ミュート部９Ａおよび音声ミュート部１０Ａを制御するための指示信号を受け付けると、その指示信号を記憶装置１２Ａに記憶し、その指示信号にしたがって映像ミュート部９Ａおよび音声ミュート部１０Ａを制御する。
【００３７】
ボタン、リモコン１０５Ａは、例えば、ＣＰＵ１１Ａにユーザからの電源ＯＮ/ＯＦＦ、ＴＶチャンネルの切り替え、音量ＵＰ/ＤＯＷＮの操作を供給する。
【００３８】
図９は、ＰＣ１００Ａの動作を説明するためのフローチャートである。
【００３９】
まず、図９を参照して、ユーザがＰＣ１００ＡをＰＣとして使用する状況下で、ユーザが、キーボードまたはマウスを操作して、ＰＣ１００Ａをスタンバイ（Ｓ３）から起動させる動作を説明する。この場合、ＰＣ１００Ａは、ナイトモードをオフにして起動する。
【００４０】
この動作では、ＰＣ１００Ａがスタンバイ（Ｓ３）の状態であることが前提となる。この場合、電源スイッチ６Ａａがオフであり、処理部５Ａに電源が供給されていない。
【００４１】
手順Ａ１では、ユーザが、キーボード７Ａまたはマウス８Ａを操作する（ステップＳ１０１）。
【００４２】
続いて、手順Ａ２では、起動要因部（Wake on USB）２Ａは、起動信号出力部４Ａに起動信号を提供する（ステップＳ１０２）。
【００４３】
続いて、手順Ａ３では、起動信号出力部４Ａは、起動信号をＣＰＵ１１Ａに提供する（ステップＳ１０３）。
【００４４】
続いて、手順Ａ４では、ＣＰＵ１１Ａは、映像ミュート部９Ａおよび音声ミュート部１０Ａのミュートをオンにする（ステップＳ１０４）。このため、映像データは、ＬＣＤモニタ１０３Ａに提供されず、音声データも、スピーカー１０４Ａに提供されない。
【００４５】
続いて、手順Ａ５では、ＣＰＵ１１Ａは、電源スイッチ６Ａａをオンにして、処理部５Ａに電源を供給する（ステップＳ１０５）。
【００４６】
続いて、手順Ａ６では、処理部５Ａが起動して、ＴＶアプリケーションが起動する（ステップＳ１０６）。
【００４７】
続いて、手順Ａ７では、ＴＶアプリケーションは、起動信号出力部４Ａが起動信号を出力した原因を特定する（ステップＳ１０７）。この場合、その原因は、起動要因部２Ａからの起動信号であるので、ＴＶアプリケーションは、処理部５ＡからＣＰＵ１１Ａへ、映像および音声のミュートの解除の指示を行う（ステップＳ１０８）。
【００４８】
なお、ＴＶアプリケーションは、例えば、ＨＤＤ１６Ａ内部に格納された予約データベースを参照して、その原因を特定する。
【００４９】
具体的には、ＴＶアプリケーションは、起動すると、時計部１Ａａの時刻が、ＨＤＤ１６Ａ内部に格納された予約データベース内の受信予約時刻のうち、時計部１Ａａの時刻に最も近い過去の時刻から、所定時間（例えば、１０秒）以内の時刻であるか判断する。
【００５０】
時計部１Ａａの時刻が、その所定時間以内の時刻であると、ＴＶアプリケーションは、その原因は、起動要因部１Ａからの起動信号、すなわち、受信予約であると判断する。
【００５１】
原因が受信予約である場合、ＴＶアプリケーションは、ＨＤＤ１６Ａ内部に格納された予約データベースを参照する。
【００５２】
時計部１Ａａの時刻に最も近い過去の時刻に関連づけられている予約内容を確認し、予約録画の場合には、ナイトモードがオンであると判断する。
【００５３】
一方、その予約内容が予約視聴である場合には、ナイトモードはオフであると判断する。
【００５４】
また、時計部１Ａａの時刻が、ＨＤＤ１６Ａ内部に格納された予約データベース内の受信予約時刻から所定時間以内の時刻でないと、ＴＶアプリケーションは、その原因は、起動要因部２Ａからの起動信号、すなわち、ユーザによるキーボード７Ａまたはマウス８Ａの操作であると判断する。
【００５５】
続いて、手順Ａ８では、ＣＰＵ１１Ａは、映像ミュート部９Ａおよび音声ミュート部１０Ａのミュートをオフにする（ステップＳ１０９）。これにより、映像と音声が出力される。
【００５６】
次に、図９を参照して、深夜の予約録画実行のため、ＰＣ１００Ａが起動する動作を説明する。この場合、ＰＣ１００Ａは、ナイトモードをオンにして起動する。
【００５７】
この動作では、ＰＣ１００Ａが、例えば、スタンバイ（Ｓ３）状態であることが前提となる。この場合、電源スイッチ６Ａａがオフであり、処理部５Ａに電源が供給されていない。
【００５８】
手順Ｂ１では、時計部１Ａａの時刻が、記憶部１Ａｂ内の予約時刻になる（ステップＳ１１０）。
【００５９】
続いて、手順Ｂ２では、起動要因部（タイマー）１Ａが、起動信号出力部４Ａに起動信号を提供する（ステップＳ１１１）。
【００６０】
続いて、手順Ｂ３では、起動信号出力部４Ａは、起動信号をＣＰＵ１１Ａに提供する（ステップＳ１０３）。
【００６１】
続いて、手順Ｂ４では、ＣＰＵ１１Ａは、映像ミュート部９Ａおよび音声ミュート部１０Ａのミュートをオンにする（ステップＳ１０４）。
【００６２】
続いて、手順Ｂ５では、ＣＰＵ１１Ａは、電源スイッチ６Ａａをオンにして、処理部５Ａに電源を供給する（ステップＳ１０５）。
【００６３】
続いて、手順Ｂ６では、処理部５Ａが起動して、ＴＶアプリケーションが起動する（ステップＳ１０６）。
【００６４】
続いて、手順Ｂ７では、ＴＶアプリケーションは、起動信号出力部４Ａが起動信号を出力した原因を特定する（ステップＳ１０７）。この場合、その原因は、深夜の予約録画実行であるので、ＴＶアプリケーションは、処理部５ＡからＣＰＵ１１Ａへ、映像および音声のミュートの解除の指示を行わない。このため、映像および音声のミュート状態が継続される（ステップＳ１１２）。
【００６５】
次に、図９を参照して、朝の目覚まし（予約視聴）として、ＰＣ１００Ａが起動する動作を説明する。この場合、ＰＣ１００Ａは、ナイトモードをオフにして起動する。
【００６６】
この動作では、ＰＣ１００Ａが、例えば、スタンバイ（Ｓ３）状態であることが前提となる。この場合、電源スイッチ６Ａａがオフであり、処理部５Ａに電源が供給されていない。
【００６７】
手順Ｃ１では、時計部１Ａａの時刻が、記憶部１Ａｂ内の予約時刻になる（ステップＳ１１０）。
【００６８】
続いて、手順Ｃ２では、起動要因部（タイマー）１Ａが、起動信号出力部４Ａに起動信号を提供する（ステップＳ１１１）。
【００６９】
続いて、手順Ｃ３では、起動信号出力部４Ａは、起動信号をＣＰＵ１１Ａに提供する（ステップＳ１０３）。
【００７０】
続いて、手順Ｃ４では、ＣＰＵ１１Ａは、映像ミュート部９Ａおよび音声ミュート部１０Ａのミュートをオンにする（ステップＳ１０４）。
【００７１】
続いて、手順Ｃ５では、ＣＰＵ１１Ａは、電源スイッチ６Ａａをオンにして、処理部５Ａに電源を供給する（ステップＳ１０５）。
【００７２】
続いて、手順Ｃ６では、処理部５Ａが起動して、ＴＶアプリケーションが起動する（ステップＳ１０６）。
【００７３】
続いて、手順Ｃ７では、ＴＶアプリケーションは、起動信号出力部４Ａが起動信号を出力した原因を特定する（ステップＳ１０７）。この場合、その原因は、予約視聴であるので、ＴＶアプリケーションは、処理部５ＡからＣＰＵ１１Ａへ、映像および音声のミュートの解除の指示を行う（ステップＳ１０８）。
【００７４】
続いて、手順Ｃ８では、ＣＰＵ１１Ａは、映像ミュート部９Ａおよび音声ミュート部１０Ａのミュートをオフにする。これにより、映像と音声が出力される（ステップＳ１０９）。
【特許文献１】特開２００６−２０２８７号公報
【特許文献２】特開２００７−３６６１６号公報
【発明の開示】
【発明が解決しようとする課題】
【００７５】
ユーザがＰＣ１００ＡをＰＣとして使用する状況下で、ユーザが、キーボードまたはマウスを操作して、ＰＣ１００Ａをスタンバイ（Ｓ３）から起動させる場合、ＰＣ１００Ａは、手順Ａ１〜手順Ａ８までの間、映像と音声を出力しない。
【００７６】
図１０は、スタンバイ状態時に、ユーザがキーボードまたはマウスを操作してから、ＰＣ１００Ａが映像と音声を出力するまでの時間を示した説明図である。
【００７７】
図１０に示すように、ＰＣ１００Ａでは、ユーザがキーボードまたはマウスを操作してから映像と音声が出力されるまでの間に、ＯＳが起動（約５秒）し、ＴＶアプリケーションが起動（数秒）する。この間、映像と音声は出力されない。
【００７８】
手順Ａ８までの期間、映像と音声のミュートを解除できない理由を以下に述べる。
【００７９】
手順Ａ８までの期間では、ＰＣ１００Ａは、起動要因が、キーボード・マウスによる起動か、予約録画や予約視聴によるタイマー起動かを区別できない。つまり、この間、ＰＣ１００Ａは、ナイトモードをオンにすべきか、ナイトモードをオフにすべきかの区別ができない。したがって、ＰＣ１００Ａは、その判断がつくまで、強制的にナイトモードをオンにしていた。
【００８０】
これにより、手順Ａ８までの期間は、映像・音声の出力ができないため、映像・音声の出力が遅くなっていた。
【００８１】
本発明の目的は、ユーザがキーボードまたはマウス等の入力部を操作してからＰＣが出力を発するまでの時間が長いという課題を解決可能な情報処理装置および出力制御方法を提供することである。
【課題を解決するための手段】
【００８２】
本発明の情報処理装置は、テレビ番組の受信予約が可能な情報処理装置であって、マザーボードと、テレビ番組処理部と、前記マザーボードからのデータに応じた出力を行う出力手段と、スイッチ手段と、ユーザ操作を受け付ける入力手段と、を含み、前記マザーボードは、処理手段と、前記テレビ番組を受信開始する予約時刻を記憶する第１記憶手段と、時刻を計時する第１時計手段と、前記入力手段が前記ユーザ操作を受け付けたとき、または、前記第１時計手段の時刻が前記第１記憶手段内の受信予約時刻になったとき、起動信号を出力する起動手段と、を含み、前記スイッチ手段は、前記処理手段への電源供給を制御し、前記テレビ番組処理部は、前記テレビ番組を受信開始する予約時刻を記憶する第２記憶手段と、時刻を計時する第２時計手段と、前記出力手段への前記データの入力を遮断可能な遮断手段と、前記スイッチ手段が前記処理手段への電源供給を停止している状況で前記起動信号を受信した際、前記第２時計手段と前記第２記憶手段を参照し、前記第２時計手段による前記起動信号の受信時刻が前記第２記憶手段に記憶された予約時刻と異なる場合に、前記遮断手段による遮断をオフにすると共に、前記スイッチ手段を制御して前記処理手段に電源を供給する制御手段と、を含む。
【００８３】
本発明の出力制御方法は、テレビ番組の受信予約が可能な情報処理装置における出力制御方法であって、前記情報処理装置は、マザーボードと、テレビ番組処理部と、前記マザーボードからのデータに応じた出力を行う出力手段と、スイッチ手段と、ユーザ操作を受け付ける入力手段と、を含み、前記マザーボードは、処理手段と、前記テレビ番組を受信開始する予約時刻を記憶する第１記憶手段と、時刻を計時する第１時計手段と、を含み、前記スイッチ手段は、前記処理手段への電源供給を制御するよう設けられ、前記テレビ番組処理部は、前記テレビ番組を受信開始する予約時刻を記憶する第２記憶手段と、時刻を計時する第２時計手段と、前記出力手段への前記データの入力を遮断可能な遮断手段と、を含み、前記入力手段が前記ユーザ操作を受け付けたとき、または、前記第１時計手段の時刻が前記第１記憶手段内の受信予約時刻になったとき、起動信号を出力する起動信号出力ステップと、前記スイッチ手段が前記処理手段への電源供給を停止している状況で前記起動信号を受信した際、前記第２時計手段と前記第２記憶手段を参照し、前記第２時計手段による前記起動信号の受信時刻が前記第２記憶手段に記憶された予約時刻と異なる場合に、前記遮断手段による遮断をオフにすると共に、前記スイッチ手段を制御して前記処理手段に電源を供給する制御ステップと、を含む。
【発明の効果】
【００８４】
本発明によれば、ユーザ操作を受け付けてからＰＣが出力を始めるまでの時間を短くすることが可能になる。
【発明を実施するための最良の形態】
【００８５】
以下、本発明の実施形態を、図面を参照して説明する。
【００８６】
図１は、本発明の一実施形態の情報処理装置を示したブロック図である。
【００８７】
図１において、ＰＣ１００は、情報処理装置の一例である。なお、情報処理装置は、ＰＣに限らず適宜変更可能である。
【００８８】
ＰＣ１００は、テレビ番組を予約録画可能であり、また、ナイトモードを有する。
【００８９】
ＰＣ１００は、ＰＣ部１０１と、テレビ番組処理部１０２と、ボタン１０５と、出力部１０６と、を含む。
【００９０】
ＰＣ部１０１は、一般的なＰＣとして機能する。テレビ番組処理部１０２は、放送中のテレビ番組を受け付け、そのテレビ番組を出力したり、録画データをＰＣ部１０１に渡したりする。
【００９１】
ＰＣ部１０１は、マザーボード１０１ａと、入力部１０１ｂと、ＰＳＵ（電源供給部）６と、を含む。
【００９２】
マザーボード１０１ａには、起動要因部１と、起動要因部２と、起動要因部３と、起動信号出力部４と、処理部５とが、搭載されている。起動要因部１は、時計部１ａと、記憶部１ｂと、比較部１ｃと、を含む。処理部５は、メモリ５ａと、ＣＰＵ５ｂとを含む。
【００９３】
入力部１０１ｂは、キーボード７と、マウス８とを含む。なお、入力部１０１ｂは、キーボード７とマウス８に限らず、ユーザ操作を受け付けるものであればよい。
【００９４】
ＰＳＵ６は、電源スイッチ６ａを含む。
【００９５】
テレビ番組処理部１０２は、映像ミュート部９と、音声ミュート部１０と、ＣＰＵ１１と、記憶装置１２と、時計部１３と、を含む。
【００９６】
出力部１０６は、ＬＣＤモニタ１０３と、スピーカー１０４とを含む。なお、出力部１０６は、ＬＣＤモニタ１０３とスピーカー１０４に限らず、処理部５からのデータを出力するものであればよい。
【００９７】
なお、起動要因部１〜３、起動信号出力部４、処理部５、ＰＳＵ６、キーボード７、マウス８、映像ミュート部９、音声ミュート部１０、ＬＣＤモニタ１０３、スピーカー１０４およびボタン１０５のそれぞれは、図８に示した起動要因部１Ａ〜３Ａ、起動信号出力部４Ａ、処理部５Ａ、ＰＳＵ６Ａ、キーボード７Ａ、マウス８Ａ、映像ミュート部９Ａ、音声ミュート部１０Ａ、ＬＣＤモニタ１０３Ａ、スピーカー１０４Ａおよびボタン、リモコン１０５Ａと同一構成である。よって、説明の重複を避けるため、それらの詳細な説明は、割愛する。
【００９８】
また、図１には示されていないが、ＰＣ１００は、図８に示されたＰＣ１００Ａと同様に、電源ボタン１３Ａ、映像合成部１４Ａ、音声合成部１５ＡおよびＨＤＤ１６Ａを含むことが望ましい。
【００９９】
なお、処理部５は、処理手段の一例であり、電源が供給されている状況で、データ（例えば、映像データと音声データ）を出力する。なお、このデータは、例えば、テレビ番組と異なるデータである。
【０１００】
出力部１０６は、出力手段の一例であり、処理部５からのデータ（例えば、映像データと音声データ）を受け付けた場合に、そのデータに応じた出力（例えば、映像と音声）を発する。
【０１０１】
映像ミュート部９と音声ミュート部１０は、遮断手段の一例であり、処理部５からのデータが出力部１０６に入力することを遮断（例えば、ミュート）可能である。
【０１０２】
さらに言えば、映像ミュート部９は、映像遮断手段の一例であり、処理部５からの映像データが出力部１０６に入力することを遮断（例えば、ミュート）可能である。また、音声ミュート部１０は、音声遮断手段の一例であり、処理部５からの音声データが出力部１０６に入力することを遮断（例えば、ミュート）可能である。
【０１０３】
電源スイッチ６ａは、スイッチ手段の一例であり、処理部５への電源供給を制御する。
【０１０４】
記憶部１ｂは、第１記憶手段の一例であり、テレビ番組の受信予約時刻を記憶する。
【０１０５】
記憶装置１２は、第２記憶手段の一例であり、テレビ番組の受信予約時刻を表した制御テーブルを記憶する。
【０１０６】
図２は、制御テーブル１２ａの一例を示した説明図である。
【０１０７】
図２において、制御テーブル１２ａでは、起動時刻１２ａ１と、ナイトモードのオン／オフ１２ａ２が、互いに関連づけられている。なお、起動時刻１２ａ１は、受信予約時刻の一例であり、ナイトモードのオン／オフ１２ａ２は、遮断のオンオフを示す遮断管理情報の一例である。
【０１０８】
図１に戻って、時計部１ａは、第１時計手段の一例であり、現在時刻を計時する。
【０１０９】
時計部１３は、第２時計手段の一例であり、現在時刻を計時する。
【０１１０】
入力部１０１ｂは、入力手段の一例であり、ユーザ操作を受け付ける。
【０１１１】
比較部１ｃと、起動要因部２と、起動要因部３と、起動信号出力部４とは、起動部１０１ａ１に含まれる。なお、起動要因部３は、省略されてもよい。
【０１１２】
起動部１０１ａ１は、起動手段の一例であり、少なくとも、入力部１０１ｂがユーザ操作を受け付けたとき、および、時計部１ａの時刻が記憶部１ｂ内の起動時刻（受信予約時刻）になったとき、起動信号を出力する。
【０１１３】
ＣＰＵ１１は、制御手段の一例であり、テレビ番組処理部１０２を制御する。
【０１１４】
例えば、ＣＰＵ１１は、放送中のテレビ番組の放送データを受け付け、その放送データに含まれる映像データを映像ミュート部９に提供し、また、その放送データに含まれる音声データを音声ミュート部１０に提供する。
【０１１５】
ＣＰＵ１１は、電源オンの状況で、起動信号出力部４から電源ＯＦＦ要求を受け付けた場合、電源スイッチ６ＡをオフにしてＰＣ１００をスタンバイ状態にする。
【０１１６】
ＣＰＵ１１は、電源スイッチ６ａが処理部５への電源供給を停止している状況で、起動部１０１ａから起動信号を受信した際、時計部１３と記憶装置１２を参照する。
【０１１７】
ＣＰＵ１１は、起動信号を受信したときの時計部１３の時刻（受信時刻）が、記憶装置１２内の受信予約時刻と異なる場合に、映像ミュート部９と音声ミュート部１０の両方またはいずれかをオフ（例えば、ミュートをオフ）にすると共に、電源スイッチ６ａを制御して処理部５に電源を供給する。
【０１１８】
次に、動作を説明する。
【０１１９】
図３は、ＰＣ１００の動作を説明するためのフローチャートである。
【０１２０】
まず、ユーザがＰＣ１００をＰＣとして使用する状況下で、ユーザが、キーボードまたはマウスを操作して、ＰＣ１００をスタンバイ（Ｓ３）から起動させる動作を説明する。この場合、ＰＣ１００は、ナイトモードをオフにして起動する。
【０１２１】
この動作では、ＰＣ１００がスタンバイ（Ｓ３）の状態であることが前提となる。この場合、電源スイッチ６ａがオフであり、処理部５に電源が供給されていない。
【０１２２】
手順Ｄ１では、ユーザが、キーボード７またはマウス８を操作する（ステップＳ３０１）。
【０１２３】
続いて、手順Ｄ２では、起動要因部（Wake on USB）２は、起動信号出力部４に起動信号を提供する（ステップＳ３０２）。
【０１２４】
続いて、手順Ｄ３では、起動信号出力部４は、起動信号をＣＰＵ１１に提供する（ステップＳ３０３）。
【０１２５】
続いて、手順Ｄ４では、ＣＰＵ１１は、時計部１３が示す時刻と、記憶装置１２に記憶されている制御テーブル１２ａとを参照し、起動信号の受信時刻が制御テーブル１２ａに記載の起動時刻ではないと判断する。つまり、ＣＰＵ１１は、起動信号の発生の要因がキーボード・マウスによる起動であると認識する（ステップＳ３０４）。
【０１２６】
続いて、手順Ｄ５では、ＣＰＵ１１は、映像ミュート部９と音声ミュート部１０のミュートをオフにする（ステップＳ３０５）。
【０１２７】
続いて、手順Ｄ６では、ＣＰＵ１１は、電源スイッチ６ａをオンにする（ステップＳ３０６）。これにより、処理部５に電源が供給される。
【０１２８】
続いて、手順Ｄ７では、処理部５が起動して、ＴＶアプリケーションが起動する（ステップＳ３０７）。
【０１２９】
図４は、スタンバイ状態時に、ユーザがキーボードまたはマウスを操作してから、ＰＣ１００が映像と音声を出力するまでの時間を示した説明図である。
【０１３０】
図４に示すように、ＰＣ１００では、ユーザがキーボードまたはマウスを操作した後、ＯＳの起動画面とＴＶアプリケーションの起動画面が表示される。
【０１３１】
このため、図１０に示した動作に比べて、ユーザがキーボードまたはマウスを操作してからＰＣ１００が映像と音声を出力するまでの時間が短縮される。
【０１３２】
次に、図３を参照して、深夜の予約録画実行のため、ＰＣ１００が起動する動作を説明する。この場合、ＰＣ１００は、ナイトモードをオンにして起動する。
【０１３３】
この動作では、ＰＣ１００が、例えば、スタンバイ（Ｓ３）状態であることが前提となる。この場合、電源スイッチ６ａがオフであり、処理部５に電源が供給されていない。
【０１３４】
手順Ｅ１では、時計部１ａの時刻が、記憶部１ｂ内の予約時刻になる（ステップＳ３０８）。
【０１３５】
続いて、手順Ｅ２では、起動要因部（タイマー）１が、起動信号出力部４に起動信号を提供する（ステップＳ３０９）。
【０１３６】
続いて、手順Ｅ３では、起動信号出力部４は、起動信号をＣＰＵ１１に提供する（ステップＳ３０３）。
【０１３７】
続いて、手順Ｅ４では、ＣＰＵ１１は、時計部１３が示す時刻と、記憶装置１２に記憶されている制御テーブル１２ａとを参照し、起動信号の受信時刻が制御テーブル１２ａに記載の起動時刻であり、かつ、ナイトモードオンで起動すべきことを認識する（ステップＳ３０４、Ｓ３１０）。
【０１３８】
続いて、手順Ｅ５では、ＣＰＵ１１は、映像ミュート部９と音声ミュート部１０のミュートをオンにする（ステップＳ３１１）。
【０１３９】
続いて、手順Ｅ６では、ＣＰＵ１１は、電源スイッチ６ａをオンにする（ステップＳ３０６）。これにより、処理部５に電源が供給される。
【０１４０】
続いて、手順Ｅ７では、処理部５が起動して、ＴＶアプリケーションが起動する（ステップＳ３０７）。
【０１４１】
次に、図３を参照して、朝の目覚まし（予約視聴）として、ＰＣ１００が起動する動作を説明する。この場合、ＰＣ１００は、ナイトモードをオフにして起動する。
【０１４２】
この動作では、ＰＣ１００が、例えば、スタンバイ（Ｓ３）状態であることが前提となる。この場合、電源スイッチ６ａがオフであり、処理部５に電源が供給されていない。
【０１４３】
手順Ｆ１では、時計部１ａの時刻が、記憶部１ｂ内の予約時刻になる（ステップＳ３０８）。
【０１４４】
続いて、手順Ｆ２では、起動要因部（タイマー）１が、起動信号出力部４に起動信号を提供する（ステップＳ３０９）。
【０１４５】
続いて、手順Ｆ３では、起動信号出力部４は、起動信号をＣＰＵ１１に提供する（ステップＳ３０３）。
【０１４６】
続いて、手順Ｆ４では、ＣＰＵ１１は、時計部１３が示す時刻と、記憶装置１２に記憶されている制御テーブル１２ａとを参照し、起動信号の受信時刻が制御テーブル１２ａに記載の起動時刻であり、かつ、ナイトモードオフで起動すべきことを認識する（ステップＳ３０４、Ｓ３１０）。
【０１４７】
続いて、手順Ｆ５では、ＣＰＵ１１は、映像ミュート部９と音声ミュート部１０のミュートをオフにする（ステップＳ３０５）。
【０１４８】
続いて、手順Ｆ６では、ＣＰＵ１１は、電源スイッチ６ａをオンにする（ステップＳ３０６）。これにより、処理部５に電源が供給される。
【０１４９】
続いて、手順Ｅ７では、処理部５が起動して、ＴＶアプリケーションが起動する（ステップＳ３０７）。
【０１５０】
図５は、制御テーブル１２ａの作成方法の一例を説明するためのフローチャートである。以下、図５を参照して、制御テーブル１２ａの作成方法の一例を説明する。
【０１５１】
まず、ユーザが、入力部１０１ｂを操作することによって、予約録画（少なくとも、起動時刻とチャンネル名）、あるいは、予約視聴（少なくとも、起動時刻とチャンネル名）を入力する（ステップＳ５０１）。なお、入力部１０１ｂが受け付けた情報は、処理部５に提供される。あるいは、ユーザが、リモコン１０５を操作することによって、予約録画あるいは予約視聴を入力してもよい。ＣＰＵ１１が受け付けた情報は、処理部５に提供される（以下同様）。
【０１５２】
続いて、ユーザは、入力部１０１ｂを操作することによって、ナイトモードをオンにするかオフにするかを選択する（ステップＳ５０２）。なお、ＰＣ１００が、予約録画の場合にナイトモードを自動的にオンにし、予約視聴の場合にナイトモードを自動的にオフにしてもよい。
【０１５３】
処理部５は、予約録画あるいは予約視聴の情報と、ナイトモードのオンまたはオフとを受け付けると、ＣＰＵ１１へ、起動時刻とナイトモードのオン／オフの情報を伝える（ステップＳ５０３）。ＣＰＵ１１は、起動要因部１の記憶部１ｂに起動時刻を設定する。
【０１５４】
ＣＰＵ１１は、起動時刻とナイトモードのオン／オフの情報を受け付けると、記憶装置１２から制御テーブル１２ａを読み出す（ステップＳ５０４）。
【０１５５】
ＣＰＵ１１は、制御テーブル１２ａを読み出すと、制御テーブル１２ａに、処理部５からの情報を付加し、制御テーブル１２ａの情報を更新する（ステップＳ５０５）。
【０１５６】
ＣＰＵ１１は、制御テーブル１２ａの情報を更新すると、記憶装置１２に、更新した制御テーブル１２ａを記憶させる（ステップＳ５０６）。
【０１５７】
本実施形態によれば、ＣＰＵ１１側の記憶装置１２も、テレビ番組の受信予約時刻を記憶する。
【０１５８】
ＣＰＵ１１は、処理部５への電源供給が停止している状況で起動信号を受信すると、時計部１３と記憶装置１２を参照し、起動信号の受信時刻が受信予約時刻と異なる場合に、起動信号の発生要因がユーザ入力であると判断する。
【０１５９】
ＣＰＵ１１は、起動信号の発生要因がユーザ入力であると判断すると、映像ミュート部９と音声ミュート部１０のミュートをオフにすると共に、電源スイッチ６ａを制御して処理部５に電源を供給する。
【０１６０】
このため、ＣＰＵ１１は、処理部５が起動する前に、起動要因を判別することが可能になる。よって、起動信号の発生要因がユーザ入力である場合に、映像・音声の出力を早く行うことが可能になる。
【０１６１】
例えば、ＣＰＵ１１は、その受信予約時刻に関連するナイトモードがオンの場合に、映像ミュート部９および音声ミュート部１０が行う遮断（ミュート）をオンにする。また、ＣＰＵ１１は、その受信予約時刻に関連するナイトモードがオフの場合に、映像ミュート部９および音声ミュート部１０が行う遮断（ミュート）をオフにする。
【０１６２】
この場合、ＣＰＵ１１は、処理部５が起動する前に、遮断（ミュート）のオン／オフを判別することが可能になる。よって、遮断（ミュート）のオンオフを迅速に制御することが可能になる。
【０１６３】
なお、制御テーブルは、図２に示した形式に限らず適宜変更可能である。例えば、図６に示したような制御テーブル１２ｂが使用されてもよい。
【０１６４】
図６において、制御テーブル１２ｂは、ナイトモードのオン／オフ情報を、映像ミュートのオン／オフ１２ｂ２と、音声ミュートのオン／オフ１２ｂ３とに、分けて記憶する。
【０１６５】
なお、映像ミュートのオン／オフ１２ｂ２は、映像データ用遮断管理情報の一例であり、音声ミュートのオン／オフ１２ｂ３は、音声データ用遮断管理情報の一例である。
【０１６６】
この場合、ＣＰＵ１１は、起動信号の受信時刻が起動時刻１２ｂ１と一致する際、その起動時刻に関連する映像ミュートのオン／オフ１２ｂ２に基づいて、映像ミュート部９の遮断（ミュート）のオン／オフを制御すると共に、その起動時刻に関連する音声ミュートのオン／オフ１２ｂ３に基づいて、音声ミュート部１０の遮断（ミュート）のオン／オフを制御する。
【０１６７】
例えば、ＣＰＵ１１は、関連する映像ミュートがオンの場合、映像ミュート部９の遮断（ミュート）のオンにし、関連する映像ミュートがオフの場合、映像ミュート部９の遮断（ミュート）のオフにする。
【０１６８】
また、ＣＰＵ１１は、関連する音声ミュートがオンの場合、音声ミュート部１０の遮断（ミュート）のオンにし、関連する音声ミュートがオフの場合、音声ミュート部１０の遮断（ミュート）のオフにする。
【０１６９】
この場合、遮断（ミュート）に関して、より細かい制御が可能になり好適である。
【０１７０】
次に、他の実施形態を説明する。
【０１７１】
図７は、本発明の他の実施形態を示したブロック図である。なお、図７において、図１に示したものと同一のものには同一符号を付してある。
【０１７２】
図７に示した実施形態では、ＣＰＵ１１ａが、図１に示したＣＰＵ１１が有する機能に加えて、比較部１ｃの機能も有する。また、記憶装置１２が記憶部１ｂを兼ね、時計部１３が時計部１ａを兼ねる。このため、起動要因部１が省略されている。
【０１７３】
ＣＰＵ１１ａは、ＣＰＵ１１と同様に動作し、さらに、時計部１３の時刻が記憶装置１２内の起動時刻になると、起動信号出力部４に起動信号を提供する。
【０１７４】
本実施形態によれば、記憶装置１２が記憶部１ｂを兼ね、時計部１３が時計部１ａを兼ねる。このため、起動要因部１を省略することが可能となり、構成の簡略化を図ることが可能になる。
【０１７５】
なお、本実施形態において、制御テーブルは、図２に示した制御テーブル１２ａが使用されてもよく、図６に示した制御テーブル１２ｂが使用されてもよい。
【０１７６】
以上説明した各実施形態において、図示した構成は単なる一例であって、本発明はその構成に限定されるものではない。
【０１７７】
以上説明した各実施形態において、テレビによる起動要因（例えば、予約録画、予約視聴）に限定する必要はなく、ＰＣによる起動要因（例えば、Windowsアップデート）に対しても、同様の手順を行えば、同様の効果が得られる。この場合、例えば、テレビ番組の受信予約時刻の代わりに、プログラムによる各種処理の実行予約時刻が用いられる。
【図面の簡単な説明】
【０１７８】
【図１】本発明の一実施形態の情報処理装置を示したブロック図である。
【図２】制御テーブル１２ａの一例を示した説明図である。
【図３】ＰＣ１００の動作を説明するためのフローチャートである。
【図４】ＰＣ１００の動作を説明するための説明図である。
【図５】制御テーブル１２ａの作成方法の一例を説明するためのフローチャートである。
【図６】制御テーブル１２ｂの一例を示した説明図である。
【図７】本発明の他の実施形態を示したブロック図である。
【図８】テレビ番組を録画予約可能なＰＣを示したブロック図である。
【図９】図８に示したＰＣの動作を説明するためのフローチャートである。
【図１０】図８に示したＰＣの動作を説明するための説明図である。
【符号の説明】
【０１７９】
１００      ＰＣ
１０１      ＰＣ部
１０１ａ    マザーボード
１０１ａ１  起動部
１０１ｂ    入力部
１０２      テレビ番組処理部
１０３      ＬＣＤモニタ
１０４      スピーカー
１０５      ボタン
１０６      出力部
１      起動要因部
１ａ    時計部
１ｂ    記憶部
１ｃ    比較部
２      起動要因部
３      起動要因部
４      起動信号出力部
５      処理部
５ａ    メモリ
５ｂ    ＣＰＵ
６      ＰＳＵ
６ａ    電源スイッチ
７      キーボード
８      マウス
９      映像ミュート部
１０      音声ミュート部
１１      ＣＰＵ
１２      記憶装置
１３      時計部
【図１】
0005269359.tif 000002
【図２】
0005269359.tif 000003
【図３】
0005269359.tif 000004
【図４】
0005269359.tif 000005
【図５】
0005269359.tif 000006
【図６】
0005269359.tif 000007
【図７】
0005269359.tif 000008
【図８】
0005269359.tif 000009
【図９】
0005269359.tif 000010
【図１０】
0005269359.tif 000011